(57)【要約】【課題】専用の固定部品を用いないで内装材端末の隠蔽と外れ防止とが可能な車両用内装材の端末処理構造の提供を図る。【解決手段】トランクトリム８の上端部はトランク開口部の周縁フランジ２にウェルト４により挟着されて、トリム端末が隠蔽される。このトリム上端部は、延設部８Ａが周縁フランジ２に重合状態でウェルト４により挟着されるだけでなく、端末のフック片８Ｂが周縁フランジ２の端末に係止しているので、自重下がりや押圧外力を受けて撓み変形することによる端末の抜け出し（外れ）が抑止される。【選択図】図１
2014046746.tif 000002
【特許請求の範囲】
【請求項１】
車体パネルの内面を覆う内装材の端部に、車体開口部の周縁フランジの内側面に沿う延設部と、該延設部の端末に曲折成形されて、前記周縁フランジの端末に係止可能なフック片と、を設け、
前記フック片を前記周縁フランジの端末に係止して、前記延設部を該周縁フランジの内側面に重合した状態で、該周縁フランジに装着されるウェルトにより挟着固定したことを特徴とする車両用内装材の端末処理構造。
【発明の詳細な説明】
【技術分野】
【０００１】
本発明は、車両用内装材の端末処理構造に関する。
【背景技術】
【０００２】
特許文献１には、自動車のトランク開口部に立設した周縁フランジに装着されるトランクウェザーストリップのウェルトに、その内周側の側面から斜め下方に張り出すカバーリップ部を設け、トランクルームの側壁内面を覆うトランクトリムの上端末を、このカバーリップ部で覆うようにした構造が開示されている。
【先行技術文献】
【特許文献】
【０００３】
【特許文献１】実開平５−７５００８号公報
【発明の概要】
【発明が解決しようとする課題】
【０００４】
特許文献１の開示技術では、トランクトリムの上端末をウェルト側面のカバーリップ部で隠蔽するため、見栄えは良好となるのであるが、トランクトリムの自重や外的要因などによる上端末の外れに対して規制する構造になっていない。
【０００５】
このため、トランクトリムの上端末の外れ防止対策としては、例えば、上端末をトランク開口部の周縁フランジにクリップ固定するか、あるいは、両面接着テープにより上端末を周縁フランジやウェルト側面に接着固定する必要があってコスト的に不利となってしまう。
【０００６】
そこで、本発明は専用の固定部品を用いることなくトランクトリム等の内装材の端末の隠蔽と外れ防止との両機能を発揮し得る車両用内装材の端末処理構造を提供するものである。
【課題を解決するための手段】
【０００７】
本発明の車両用内装材の端末処理構造は、車体パネルの内面を覆う内装材の端部に、車体開口部の周縁フランジの内側面に沿う延設部と、該延設部の端末に曲折成形されて、前記周縁フランジの端末に係止可能なフック片と、を設けてある。
【０００８】
そして、このフック片を前記周縁フランジの端末に係止して、前記延設部を該周縁フランジの内側面に重合した状態で、該周縁フランジに装着されるウェルトにより挟着固定したことを主要な特徴としている。
【発明の効果】
【０００９】
本発明によれば、内装材の端部は車体開口部の周縁フランジに略Ｕ字状断面のウェルトにより挟着されるため、端末を隠蔽して見栄えを良好にできる。しかも、内装材の端部は、延設部が周縁フランジに重合した状態でウェルトでしっかりと挟着されるにとどまらず、端末のフック片が周縁フランジの端末に係止しているため、内装材の自重による外れや押圧外力を受けて撓み変形することによる外れを抑止することができる。
【図面の簡単な説明】
【００１０】
【図１】本発明の一実施形態を示す略示的断面説明図。
【図２】フック片の変形例を示す図１と同様の略示的断面説明図。
【発明を実施するための形態】
【００１１】
以下、本発明の一実施形態を内装材としてトランクトリムを例に採って図面と共に詳述する。
【００１２】
図１は、車体開口部に対応する車体後部のトランク開口部の後部コーナー周りを示しており、車体パネル１のトランク開口部には周縁フランジ２を立設してある。
【００１３】
この周縁フランジ２には、トランクウェザーストリップ３を装着して、図外のトランクリッドを閉蓋したときに、該トランクウェザーストリップ３によりトランク開口部周囲をシールするようにしている。
【００１４】
トランクウェザーストリップ３は、ゴム，合成樹脂等の弾性材からなる略Ｕ字状断面のウェルト４と、ウェルト４の頂面に一体に設けた中空のシールリップ５と、を備えている。
【００１５】
ウェルト４は、芯金６をインサートして所要の剛性を付与してあり、内，外周壁の内側対向面には複数の挟持リップ７を一体に備え、周縁フランジ２に嵌着することによりこれら挟持リップ７で周縁フランジ２を挟持して抜け止め固定可能としている。
【００１６】
シールリップ５は、スポンジゴム等の軟質発泡材によりウェルト４と一体に同時押出し成形してあり、図外のトランクリッドを閉蓋した際に、該シールリップ５がトランクリッドの周縁内面に弾性変形して密接し、トランクルームＴ・Ｒの内，外をシールする。
【００１７】
トランクルームＴ・Ｒの周囲は、車体パネル１の内面を覆ってトランクトリム８を配設して内装してある。
【００１８】
トランクトリム８は、フェルトや不織布等を基材として板状に型成形してあり、トランクルーム内の装飾機能と、収納荷物の緩衝保護機能とを兼備している。
【００１９】
トランクトリム８は、基本的には車体パネル１の内面に設けた図外の取付座にクリップ等の止着手段により装着される。
【００２０】
ここで、本実施形態にあっては、上述のトランクトリム８の上端部に、前記周縁フランジ２の内側面に沿う延設部８Ａと、該延設部８Ａの端末に曲折成形されて、前記周縁フランジ２の端末に係止可能なフック片８Ｂと、を設けてある。
【００２１】
図１に示す例では、フック片８Ｂを周縁フランジ２の端末に嵌着可能なように延設部８Ａの端末から逆Ｌ字状に延設しているが、図２に示す変形例のように延設部８Ａの端末から略直角に延設してもよい。
【００２２】
そして、このフック片８Ｂを前記周縁フランジ２の端末に係止して、前記延設部８Ａをこの周縁フランジ２の内側面に重合した状態で、該周縁フランジ２に装着される上述のトランクウェザーストリップ３のウェルト４により挟着固定してある。
【００２３】
以上の構成により、本実施形態の端末処理構造によれば、トランクトリム８の上端部はトランク開口部の周縁フランジ２に略Ｕ字状断面のウェルトにより挟着されるため、トリム端末を隠蔽して見栄えを良好にできる。
【００２４】
しかも、このトランクトリム８の上端部は、延設部８Ａが周縁フランジ２に重合した状態でウェルト４の挟持リップ７によりしっかりと挟着されるにとどまらず、端末のフック片８Ｂが周縁フランジ２の端末に係止している。
【００２５】
これにより、トランクトリム８が自重によりずれ下がったり、荷物の出し入れの際に押圧外力を受けて撓み変形することによって、該トリム端末が外れるのを抑止することができる。
【００２６】
なお、前記実施形態では内装材としてトランクトリムを例示したが、この他、リャサイドトリムやピラーガーニッシュ，ルーフトリム等の端末処理に適用することも可能である。
【符号の説明】
【００２７】
１…車体パネル
２…周縁フランジ
３…トランクウェザーストリップ
４…ウェルト
５…中空のシールリップ
６…芯金
７…挟持リップ
Ｔ・Ｒ…トランクルーム
８…トランクトリム（内装材）
８Ａ…延設部
８Ｂ…フック片
【図１】
2014046746.tif 000003
【図２】
2014046746.tif 000004